(57)【特許請求の範囲】
【請求項１】
調理モードや加熱条件を選択操作する操作パネルの表面側に、電極印刷されたシート状操作スイッチ部と、前記シート状操作スイッチ部の前面に配置される化粧シートとを備え、前記操作パネルの裏面側に、複数の制御プログラムと機種判別機能とを有するマイコンを備えた加熱調理装置において、前記化粧シートは、裏側に機種情報手段が設けられ、前記機種情報手段は、２つの印刷配線された電極を短絡することにより、機種判別を行うための機種情報を前記マイコンに伝達し、前記マイコンは、前記機種情報に応じて前記複数の制御プログラムのいずれかを選択することを特徴とする加熱調理装置。
【請求項２】
前記２つの印刷配線された電極が前記シート状操作スイッチ部に設けられ、前記機種情報手段が、前記化粧シートを前記シート状操作スイッチ部に貼り付けると前記２つの印刷配線された電極を短絡する請求項１に記載の加熱調理装置。
【請求項３】
前記機種情報手段が導電性インクで形成された請求項２に記載の加熱調理装置。
【請求項４】
前記機種情報手段が導電性接着剤で形成された請求項２に記載の加熱調理装置。
【発明の詳細な説明】
【０００１】
【発明の属する技術分野】
本発明は加熱調理装置に関するもので、特に複数の制御プログラムの中から一つの制御プログラムを選択し、所定の機種に設定する機種設定構造に関するものである。
【０００２】
【従来の技術】
従来の加熱調理装置は家庭用・業務用・日本国内向け・外国向け等の客先によって仕様や調理メニュー、操作パネルに表示される言語など、それぞれに応じた複数の機種が必要
とされる。また、家庭用の加熱調理装置でも高級商品と普及商品では調理メニューの種類や数、操作パネルのキー配置が異なり、さらに、同じ言語でも国や地域が異なると食文化や嗜好が異なり、それぞれの国や地域の食文化応じた調理メニューの種類や、嗜好に応じた出来栄えにするために自動調理の時間を設定しなければならない。つまり、加熱調理装置は客先の数と同じだけ機種数が必要で膨大な機種数になることが多かった。
【０００３】
そこで、マイクロコンピュータ（以下、マイコンと略す）を備えた加熱調理装置では機種毎に異なるマイコンを用いると、マイコンの種類が増大するため、複数の機種の制御プログラムを内蔵したマイコンを用いることが多い。このため、所定の機種の制御プログラムで加熱調理装置を動作させるため、従来の加熱調理装置はマイコン等の電子部品を実装した印刷配線板（制御基板）に機種情報手段を備えたものが一般的である。この種の機種情報手段は印刷配線板にジャンパー線や抵抗を用いてオープン回路やショート回路、或いは抵抗回路を形成し、マイコンがそのオープン・ショート・抵抗の信号に基づいて所定の機種の制御プログラムで加熱調理装置を動作させる。
【０００４】
また、従来の加熱調理装置には機種設定のために図７に示すような外部メモリを設ける例もある（例えば特許文献１参照）。
【０００５】
図７において、１はマグネトロン、２は高圧回路、３は交流電源、４はスイッチング手段、５は接続判別手段、６は制御部、７は内部メモリ、８は印刷配線板、９は外部メモリである。印刷配線板８には接続判別手段５と制御部６と内部メモリ７が配置され、外部メモリ９が制御部６に接続されている。外部メモリ９の接続は接続判別手段５によって検知し、スイッチング手段４は内部メモリ７と外部メモリ９によって制御され、交流電源３からの電力の供給をオン・オフさせてマグネトロン１の高周波発生を制御する。
【０００６】
【特許文献１】
特開平８−２００６９３号公報（第１図）
【０００７】
【発明が解決しようとする課題】
しかしながら、上記のような構成では、加熱調理装置が何の機種に設定されているかが外観などで容易に判別できず、設定された機種を知るためには、操作パネルから印刷配線板を取り外し、機種情報手段を確認し、その機種情報手段のオープン・ショート・抵抗値などを別途資料などと照合しなければ何の機種に設定されているか判らず、容易に設定機種を知ることができなかった。設定機種を容易に知ることができなかった結果、生産現場では実際に動作している制御プログラムと、設定しようとした所定の機種が異なると言った機種間違いの大きな原因になっていた。そして、図７の構造の場合、外部メモリ９の有無や設定した機種と化粧シートの種類を一致させなければならないため、操作パネルは接続判別手段５と制御部６と内部メモリ７と印刷配線板８と外部メモリ９と化粧シートを一括で管理しなければならず、操作パネルの在庫の増減や生産機種の変更に柔軟に対応できなかった。また、外部メモリ９が印刷配線板８に搭載されていないため、外部メモリ９と印刷配線板８を接続するケーブルやコネクターが別途必要になり、部品点数と生産工数の増大によってコストが高くなっていた。さらに、外部メモリ９はケーブルなどによって印刷配線板８に接続されるため、マグネトロン１や高圧回路２、あるいは他の電気部品から発生するノイズが侵入しやすく、誤動作が発生する可能性が高くなるという課題があった。
【０００８】
【課題を解決するための手段】
前記従来の課題を解決するために、本発明の加熱調理装置は、調理モードや加熱条件を選択操作する操作パネルの表面側に、電極印刷されたシート状操作スイッチ部と、前記シート状操作スイッチ部の前面に配置される化粧シートとを備え、前記操作パネルの裏面側に、複数の制御プログラムと機種判別機能とを有するマイコンを備えた加熱調理装置において、前記化粧シートは、裏側に機種情報手段が設けられ、前記機種情報手段は、２つの印刷配線された電極を短絡することにより、機種判別を行うための機種情報を前記マイコンに伝達し、前記マイコンは、前記機種情報に応じて前記複数の制御プログラムのいずれかを選択するものである。
【０００９】
一般に加熱調理装置は家庭用・業務用・日本国内向け・外国向けなど、機種毎に化粧シートに表示される調理メニューや言語などが異なるため、化粧シート１種類につき１機種がそれぞれ対応するのが普通である。よって、化粧シートを加熱調理装置に取り付けると所定の機種に設定できるのが最も合理的な機種設定方法である。
【００１０】
このように、本発明では化粧シートを取り付けるだけで所定の機種に設定できる構造にしたことによって、加熱調理装置の外観部品である化粧シートを見るだけで何の機種に設定されているかが一目瞭然で認識できる。さらに、化粧シートを取り付けるだけで機種設定ができるため、操作パネルの化粧シート以外の部品を標準化することができ、操作パネルの在庫の管理も容易になる。そして、加熱調理装置の生産工程において、最後の工程で化粧シートを取り付けることによって様々な機種に作り分けることができるため、生産機種の変更に柔軟に対応ができるようになる。また、外部メモリなどの付加部品を必要としないため、マイコンなどの制御部品へノイズが侵入する可能性を大幅に低減することができ、部品点数の削減と工数の削減が可能となり、信頼性向上とコスト削減ができる。
【００１１】
【発明の実施の形態】
請求項１に記載の発明は、調理モードや加熱条件を選択操作する操作パネルの表面側に、電極印刷されたシート状操作スイッチ部と、前記シート状操作スイッチ部の前面に配置される化粧シートとを備え、前記操作パネルの裏面側に、複数の制御プログラムと機種判別機能とを有するマイコンを備えた加熱調理装置において、前記化粧シートは、裏側に機種情報手段が設けられ、前記機種情報手段は、２つの印刷配線された電極を短絡することにより、機種判別を行うための機種情報を前記マイコンに伝達し、前記マイコンは、前記機種情報に応じて前記複数の制御プログラムのいずれかを選択することを特徴とする加熱調理装置である。
【００１２】
これにより、２つの印刷配線された電極を機種情報手段により短絡するだけで設定されるべき機種がマイコンに伝えられ、マイコンの機種判別機能によって前記機種に応じた制御プログラムを動作することができる。つまり、加熱調理装置の動作している制御プログラムと、設定しようとした所定の機種の制御プログラムが異なると言った生産現場で頻発していた従来の課題を解決できる。
【００１３】
また、化粧シートを取り付けるだけで機種設定ができるため、操作パネルの化粧シート以外の部品を標準化することができ、操作パネルの在庫の管理も容易になる。そして、加熱調理装置の生産工程において、最後の工程で取り付ける化粧シートを変更するだけで様々な機種に作り分けることができるため、生産機種の変更に柔軟に対応ができるようになる。さらに、従来のように外部メモリを必要としないため、マイコンなどの制御部品へノイズが侵入する可能性を大幅に低減することができ、部品点数の削減と工数の削減が可能となり、コスト削減ができる。
【００１４】
請求項２に記載の発明は、特に、第１の発明において、前記２つの印刷配線された電極が前記シート状操作スイッチ部に設けられ、前記機種情報手段が、前記化粧シートを前記シート状操作スイッチ部に貼り付けると前記２つの印刷配線された電極を短絡するものである。これにより、化粧シートを取り付けた際の接触面を経由して設定すべき機種をマイコンに伝えることができる。
【００１５】
請求項３に記載の発明は、特に、請求項１に記載の加熱調理装置において、前記機種情報手段が導電性インクで形成されたものである。これにより、表側から見たときの意匠性を確保しやすく、化粧シートの製造工程において意匠と同じ印刷工程で機種情報手段を形成できる利点があり、化粧シートの製造工数を削減できる。
【００１６】
請求項４に記載の発明は、特に、請求項１に記載の加熱調理装置において、前記機種情報手段が導電性接着剤で形成されたものである。これにより、化粧シートを操作パネルに貼り付ける接着剤に導電性接着剤を用い、かつ導電性接着剤の塗布パターンの一部に導電性接着剤の有無を設けることによって機種情報手段を形成したものである。機種情報手段を導電性接着剤で形成することによって、化粧シートの製造工程において接着剤の印刷工程で機種情報手段を形成できる利点があり、化粧シートの製造工数を削減できる。
【００１７】
【実施例】
以下本発明の実施例について、図面を参照しながら説明する。
【００１８】
（実施例１）
図１および図２は、本発明の第１の実施例を示すものである。
【００１９】
図１において、１０は操作パネルで、電極印刷されたシート状操作スイッチ部１１と化粧シート１２が貼り付けられ、他方に複数の機種の制御プログラムとマイコン１３を備えた印刷配線板８が取り付けられる。使用者は化粧シート１２に表示された調理メニューや所望の動作を押すことにより指示する。化粧シート１２の裏面に配置した電極印刷をしたシート状操作スイッチ部１１は使用者の押力によりスイッチを接続してマイコン１３を備えた印刷配線板８にスイッチ信号を伝え、マイコン１３は入力されたスイッチ信号により制御プログラムを動作させる。シート状操作スイッチ部１１の表面、つまり化粧シート１２との接触面には印刷配線１４を備えた構造になっており、化粧シート１２の裏面、つまりシート状操作スイッチ部１１との接触面には機種情報手段１５が導電性インクで形成されている。図２は化粧シート１２の裏面と、シート状操作スイッチ部１１の表面の要部拡大図である。シート状操作スイッチ部１１の表面に備えた印刷配線１４は一部が破断した形態になっており、印刷配線１４のａからｄはそれぞれ独立している。しかし、化粧シート１２を貼り付けると機種情報手段１５の導電性インクが印刷配線１４の破断部に接触し、印刷配線１４のａとｂ、ｃとｄは短絡され、閉回路になる。印刷配線板８に配置されたマイコン１３はシート状操作スイッチ部１１の印刷配線１４を経由して機種情報手段１５を検知する。つまり、マイコン１３は印刷配線１４のオープン・ショートで機種情報手段１５を入手することができ、入手した機種情報手段１５を機種判別機能で判別し、所定の機種の制御プログラムで加熱調理装置を動作させる。加熱調理装置の機種が日本向け、アメリカ向け、中国向けの３種類有った場合の機種情報手段１５と化粧シート１２に構成された導電性インクの有無の例を図３に示す。前記機種情報手段１５は導電性インクの有無によって印刷配線１４のオープン回路またはショート回路を構成する。
【００２０】
このように、化粧シート１２を貼り付けるだけで目的の機種に設定できるため、実際に動作している加熱調理装置の制御プログラムと、設定しようとしていた目的の機種の制御プログラムを間違えることがなく、しかも化粧シート１２以外の全ての部品を標準化でき、操作パネルの在庫管理が容易になる。また、生産工程において、最後の工程で貼り付ける化粧シート１２を変更するだけで様々な機種に作り分けることができるため、生産機種の変更に柔軟に対応ができるようになる。
【００２１】
なお、本実施例では機種数を仮に日本向け、アメリカ向け、中国向けの３機種にしているため機種情報手段１５は２点のオープン・ショートで示しているが、機種数が多い場合、２点以上の機種情報手段１５を持つことは言うまでもない。
【００２２】
また、機種情報手段１５に抵抗値特性をもたせて、その抵抗値の違いを検出し、機種切換を行うことも可能である。
【００２３】
（実施例２）
図４は、本発明の第２の実施例を示すものである。
【００２４】
図４において、図２との相違点は化粧シート１２の機種情報手段１５を導電性接着剤で形成したもので、導電性接着剤の塗布パターンの一部に導電性接着剤の有無を設けることにより機種情報手段１５を形成している。なお、実施例１と同一符号のものは同一構造または同一機能を有し、説明は省略する。
【００２５】
化粧シート１２の裏面に化粧シート１２を貼り付けるための導電性接着剤が塗布されている。導電性接着剤はシート状操作スイッチ部１１に化粧シート１２を貼り付けると同時にシート状操作スイッチ部１１表面の印刷配線１４の破断部に接触するため、印刷配線１４のａとｂ、ｃとｄは短絡され、閉回路が構成される。マイコン（図示せず）は導電性接着剤で形成された機種情報手段１５を印刷配線１４のオープン・ショートで検知することができ、入手した機種情報手段１５を機種判別機能で判別し、所定の機種の制御プログラムで加熱調理装置を動作させる。
【００２６】
このように、化粧シート１２を貼り付けるための接着剤を導電性のものを用い、塗布パターンによって機種情報手段１５を持たせることができるため、化粧シート１２の製造工程では特別な工程を追加することなく機種情報手段１５を形成することができる。さらに、化粧シート１２を貼り付けるだけで所定の機種に設定できるため、実際に動作している加熱調理装置の制御プログラムと、設定しようとしていた所定の機種の制御プログラムを間違えることがなく、しかも化粧シート１２以外の全ての部品を標準化でき、操作パネルの在庫管理が容易になる。また、生産工程において、最後の工程で貼り付ける化粧シート１２を変更するだけで様々な機種に作り分けることができるため、生産機種の変更に柔軟に対応ができるようになる。
【００２７】
また、機種情報手段１５に抵抗値特性をもたせて、その抵抗値の違いを検出し、機種切換を行うことも可能である。
【００２８】
（実施例３）
図５は、本発明の第３の実施例を示すものである。
【００２９】
図５において、１６はヒートシール型異方導電コネクターで、化粧シート１２の裏面に形成された機種情報手段１５に一端を接続し、他端をマイコン１３を搭載した印刷配線板８に接続したものである。なお、実施例１と同一符号のものは同一構造または同一機能を有し、説明は省略する。
【００３０】
機種情報手段１５は導電性材料で構成され、ヒートシール型異方導電コネクター１６の端子間をオープンあるいはショートすることで機種情報手段１５をマイコン（図示せず）に伝え、所定の機種に設定できる。また、機種情報手段１５に抵抗値特性をもたせて、その抵抗値の違いを検出し、機種切換を行うことも可能である。
【００３１】
このように、ヒートシール型異方導電コネクター１６を化粧シート１２に熱溶着するため、より確実に機種情報手段１５をマイコンに伝えることができる。また、ヒートシール型異方導電コネクター１６は非常に薄いため、化粧シート１２と電極印刷をしたシート状操作スイッチ部１１の間にヒートシール型異方導電コネクター１６があっても外観を損ねることがないという利点がある。
【００３２】
（実施例４）
図６は、本発明の第４の実施例を示すものである。
【００３３】
図６において、１７は機種設定タブで、機種情報手段１５はシート状操作スイッチ部１１に印刷配線１４によって形成されている。なお、実施例１と同一符号のものは同一構造または同一機能を有し、説明は省略する。機種情報手段１５はシート状操作スイッチ部１１に設けた機種設定タブ１７をめくると印刷配線１４が切断され、閉回路がオープンになってマイコン（図示せず）に伝えられる。
【００３４】
このように、機種設定タブ１７のように印刷配線１４を切断することでマイコンに機種情報手段１５を伝え、所定の機種に設定できるため、生産工程において機種設定に要する時間を短縮でき、生産効率の向上が出来る。
【００３５】
【発明の効果】
以上のように、請求項１から９に記載の発明によれば、化粧シートあるいはシート状操作スイッチ部を取り付けることによって複数の制御プログラムの中から一つの制御プログラムを選択し、所定の機種の加熱調理装置に設定することができ、従来のように外部メモリを用いることによって発生していた生産機種の設定間違いを防止し、化粧シートとシート状操作スイッチ部以外の部品が標準化できるため、操作パネルの在庫管理が容易になる。また、加熱調理装置の生産工程において、化粧シートあるいはシート状操作スイッチ部を最後の工程で取り付けることによって様々な機種に作り分けることが出来るため、生産機種の変更に柔軟に対応することができる。さらに、外部メモリなどの付加部品を必要としないため、マイコンなどの制御部品へノイズが侵入する可能性を大幅に低減することができ、部品点数の削減と工数の削減が可能となり、信頼性向上とコスト削減ができる。
【図面の簡単な説明】
【図１】  本発明の実施例１における加熱調理装置の操作パネルの分解斜視図
【図２】  本発明の実施例１における要部拡大図
【図３】  本発明の実施例１における機種情報手段例の図
【図４】  本発明の実施例２における要部拡大図
【図５】  本発明の実施例３における加熱調理装置の操作パネルの分解斜視図
【図６】  本発明の実施例４におけるシート状操作スイッチ部の要部拡大図
【図７】  従来の加熱調理装置のブロック図
【符号の説明】
１  マグネトロン
２  高圧回路
３  交流電源
４  スイッチング手段
５  接続判別手段
６  制御部
７  内部メモリ
８  印刷配線板
９  外部メモリ
１０  操作パネル
１１  シート状操作スイッチ部
１２  化粧シート
１３  マイクロコンピュータ（マイコン）
１４  印刷配線
１５  機種情報手段
１６  ヒートシール型異方導電コネクター
１７  機種設定タブ
【図１】
0004325286.tif 000002
【図２】
0004325286.tif 000003
【図３】
0004325286.tif 000004
【図４】
0004325286.tif 000005
【図５】
0004325286.tif 000006
【図６】
0004325286.tif 000007
【図７】
0004325286.tif 000008